(57)【要約】【課題】窓にカーテンが掛けられている場合でも、室内空間の湿度を適切に保ちつつ、十分な結露防止効果を得ることができる空気調和機を得ること。【解決手段】カーテンの開閉状態に応じて室内温度を補正した補正室内温度を求める室内温度補正部２０３と、補正室内温度および室内湿度に基づいて、室内空間の露点温度を算出する露点温度算出部２０４と、補正室内温度および外気温度に基づいて、窓の室内側の表面温度である窓室内面温度を算出する窓室内面温度算出部２０５と、窓室内面温度および露点温度に基づいて、窓の室内側の表面に結露が発生する可能性があるか否かを判定する結露発生判定部２０８と、結露発生判定部２０８において窓に結露が発生する可能性があると判定された場合に、室内空間の除湿運転を行うように空調制御する空調制御部２１１と、を備える。【選択図】図１
2013047583.tif 000002
【特許請求の範囲】
【請求項１】
室内と室外とを隔てる窓の室内側にカーテンを具備する室内空間の空調を行う空気調和機であって、
室内温度を検出する室内温度検出部と、
室内湿度を検出する室内湿度検出部と、
外気温度を検出する外気温度検出部と、
前記カーテンの開閉状態に応じて前記室内温度を補正した補正室内温度を求める室内温度補正部と、
前記補正室内温度および前記室内湿度に基づいて、前記室内空間の露点温度を算出する露点温度算出部と、
前記補正室内温度および前記外気温度に基づいて、前記窓の室内側の表面温度である窓室内面温度を算出する窓室内面温度算出部と、
前記窓室内面温度および前記露点温度に基づいて、前記窓の室内側の表面に結露が発生する可能性があるか否かを判定する結露発生判定部と、
前記結露発生判定部において前記窓に結露が発生する可能性があると判定された場合に、前記室内空間の結露防止運転を行うように空調制御する空調制御部と、
を備えることを特徴とする空気調和機。
【請求項２】
前記室内空間からの輻射熱を検出する輻射熱検出部と、
前記輻射熱検出部の検出結果に基づいて、前記室内空間における前記窓の位置を検出する窓位置検出部と、
を備え、
前記空調制御部は、前記窓位置検出部により検出された前記窓の位置に向けて前記結露防止運転を行うように空調制御する
ことを特徴とする請求項１に記載の空気調和機。
【請求項３】
前記室内温度補正部は、前記室内温度に所定の室内温度補正係数を乗じて前記補正室内温度を求めることを特徴とする請求項１または２に記載の空気調和機。
【請求項４】
前記室内温度補正部は、複数の前記室内温度補正係数を室内温度補正係数テーブルとして保持し、前記カーテンの断熱効果に応じた前記温度補正係数を適用して前記補正室内温度を求めることを特徴とする請求項３に記載の空気調和機。
【請求項５】
前記室内温度補正部は、前記室内温度に対応する前記補正室内温度を補正室内温度テーブルとして保持し、当該補正室内温度テーブルに基づいて前記補正室内温度を求めることを特徴とする請求項１または２に記載の空気調和機。
【請求項６】
前記室内温度補正部は、前記カーテンの断熱効果に対応する複数の前記補正室内温度テーブルを保持し、前記カーテンの断熱効果に応じた前記補正室内温度テーブルを用いて前記補正室内温度を求めることを特徴とする請求項５に記載の空気調和機。
【請求項７】
前記結露発生判定部は、前記窓室内面温度が前記露点温度以下である場合に、前記窓に結露が発生する可能性があると判定することを特徴とする請求項１〜６のいずれか一項に記載の空気調和機。
【請求項８】
前記結露発生判定部は、前記窓室内面温度が前記露点温度に所定温度を加えた温度以下である場合に、前記窓に結露が発生する可能性があると判定することを特徴とする請求項１〜６のいずれか一項に記載の空気調和機。
【発明の詳細な説明】
【技術分野】
【０００１】
本発明は、空気調和機に関する。
【背景技術】
【０００２】
室内と室外とを隔てる窓を有する室内空間では、寒冷期に外気温度が低下して窓の室内側の表面（以下、「窓室内面」という）の温度が室内の露点温度よりも低くなると、窓室内面に結露が発生する。従来、室内温度、窓室内面温度、および外気温度が平衡状態にあるとき、室内から窓室内面への熱移動量と室内から室外への熱移動量とが等しくなる関係を利用して、窓室内面温度を求め、その窓室内面温度に相当する露点温度を演算し、露点温度センサーにより計測された計測露点温度が演算により求めた露点温度を超えないように室内の湿度制御を行うことにより、結露の発生を防止する技術が開示されている（例えば、特許文献１）。
【先行技術文献】
【特許文献】
【０００３】
【特許文献１】特開２００５−０４２９９３号公報
【発明の概要】
【発明が解決しようとする課題】
【０００４】
しかしながら、上記従来技術では、窓にカーテンが掛けられている場合には、そのカーテンの窓側の空間と室内側の空間との間の熱伝達が妨げられ、窓の近傍の温度は、空気調和機の室内機あるいはリモコン等に内蔵された温度センサーにより計測される室内温度よりも低くなる。つまり、演算により得られる窓室内面温度は、実際の窓室内面温度よりも高くなるため、より高い湿度に制御されてしまい、十分な結露防止効果が得られない場合がある、という問題があった。
【０００５】
本発明は、上記に鑑みてなされたものであって、窓にカーテンが掛けられている場合でも、室内空間の湿度を適切に保ちつつ、十分な結露防止効果を得ることができる空気調和機を提供することを目的とする。
【課題を解決するための手段】
【０００６】
上述した課題を解決し、目的を達成するため、本発明にかかる空気調和機は、室内と室外とを隔てる窓の室内側にカーテンを具備する室内空間の空調を行う空気調和機であって、室内温度を検出する室内温度検出部と、室内湿度を検出する室内湿度検出部と、外気温度を検出する外気温度検出部と、前記カーテンの開閉状態に応じて前記室内温度を補正した補正室内温度を求める室内温度補正部と、前記補正室内温度および前記室内湿度に基づいて、前記室内空間の露点温度を算出する露点温度算出部と、前記補正室内温度および前記外気温度に基づいて、前記窓の室内側の表面温度である窓室内面温度を算出する窓室内面温度算出部と、前記窓室内面温度および前記露点温度に基づいて、前記窓の室内側の表面に結露が発生する可能性があるか否かを判定する結露発生判定部と、前記結露発生判定部において前記窓に結露が発生する可能性があると判定された場合に、前記室内空間の結露防止運転を行うように空調制御する空調制御部と、を備えることを特徴とする。
【発明の効果】
【０００７】
本発明によれば、窓にカーテンが掛けられている場合でも、室内空間の湿度を適切に保ちつつ、十分な結露防止効果を得ることができる、という効果を奏する。
【図面の簡単な説明】
【０００８】
【図１】図１は、実施の形態にかかる空気調和機の一構成例を示す図である。
【図２】図２は、実施の形態にかかる空気調和機のリモコンの外観の一例を示す図である。
【図３】図３は、実施の形態にかかる空気調和機の室内機の外観の一例を示す図である。
【図４】図４は、室内温度補正係数テーブルの一例を示す図である。
【図５】図５は、補正室内温度テーブルの一例を示す図である。
【図６】図６は、結露防止制御処理の一例を示すフローチャートである。
【発明を実施するための形態】
【０００９】
以下に添付図面を参照し、本発明の実施の形態にかかる空気調和機について説明する。なお、以下に示す実施の形態により本発明が限定されるものではない。
【００１０】
実施の形態１．
本実施の形態では、室内と室外とを隔てる窓の室内側にカーテンを具備する室内空間の空調を行う空気調和機において、室内温度が外気温度よりも高くなる寒冷期に窓室内面への結露を防止する結露防止制御を実施する例について説明する。
【００１１】
図１は、実施の形態にかかる空気調和機の一構成例を示す図である。図１に示すように、実施の形態にかかる空気調和機は、リモコン１、室内機２、および室外機３を備えている。
【００１２】
室内機２は、室内温度を検出する室内温度検出部２０１、室内湿度を検出する室内湿度検出部２０２、カーテンの開閉状態に応じて室内温度を補正した補正室内温度を算出する室内温度補正部２０３、補正室内温度および室内湿度に基づいて、室内空間の露点温度を算出する露点温度算出部２０４、補正室内温度および外気温度に基づいて、窓室内面温度を算出する窓室内面温度算出部２０５、窓室内面の熱伝達係数を記憶した熱伝達係数記憶部２０６、窓（窓ガラス）の熱貫流率を記憶した熱貫流率記憶部２０７、窓室内面温度および露点温度に基づいて、窓室内面に結露が発生する可能性があるか否かを判定する結露発生判定部２０８、室内空間からの輻射熱を検出する輻射熱検出部２０９、輻射熱検出部２０９の検出結果に基づいて、室内空間における窓の位置を検出する窓位置検出部２１０、および、窓室内面に結露が発生する可能性がある場合に、窓位置検出部２１０により検出された窓の位置に向けて除湿運転を行うように空調制御する空調制御部２１１を備えている。また、室外機３は、外気温度を検出する外気温度検出部３０１を備えている。
【００１３】
図２は、実施の形態にかかる空気調和機のリモコンの外観の一例を示す図である。図２に示すように、リモコン１は、実施の形態にかかる空気調和機における通常運転の始動と停止を行わせる通常運転キー１１と、実施の形態にかかる空気調和機における結露防止運転の始動と停止を行わせる結露防止運転キー１２と、カーテンの開閉状態の選択画面を表示する液晶ディスプレイ等の表示部１３と、ユーザーがカーテンの開閉状態を選択するための選択キー１４を備えている。また、リモコン１には、上述したカーテンの開閉状態の選択画面をあらかじめ記憶した表示情報記憶部（図示せず）が設けられている。
【００１４】
このリモコン１は、赤外線や電波等による無線通信を行うコントローラであり、ユーザーの操作により室内機２への制御指令を送信する機能を有している。本実施の形態では、ユーザーが結露防止運転キー１２を操作することにより、表示部１３にカーテンの開閉状態の選択画面が表示され、ユーザーが表示部１３を見ながら選択キー１４を操作してカーテンの開閉状態を選択することにより、室内機２に対して結露防止制御開始指令が送信される。また、再度ユーザーが結露防止運転キー１２を操作することにより、室内機２に対して結露防止制御停止指令が送信される。なお、上述したカーテンの開閉状態の選択手法、結露防止制御開始指令あるいは結露防止制御停止指令の送信タイミング等により、本発明が限定されるものではないことは言うまでもない。
【００１５】
図３は、実施の形態にかかる空気調和機の室内機の外観の一例を示す図である。図３に示すように、室内機２は、左右に風向を変えるための左右ルーバー２１と、上下に風向を変えるための上下ベーン２２と、室内空間の温度分布を取り込む室内温度分布検出部２３とを備えている。室内温度分布検出部２３には、図１において説明した輻射熱検出部２０９および図示しないモーターが取り付けられ、室内空間全域の温度分布を取り込むことができる。これらの左右ルーバー２１、上下ベーン２２、および室内温度分布検出部２３の動作は、空調制御部２１１により制御される。
【００１６】
つぎに、実施の形態にかかる空気調和機における結露防止制御について説明する。実施の形態にかかる空気調和機では、通常運転中あるいは運転待機中において、リモコン１からの結露防止制御開始指令を室内機２が受信した時点で、結露防止制御を開始する。この結露防止制御では、窓室内面に結露が発生する可能性の有無を正確に判定する必要があり、そのためには、窓室内面温度が正確に算出されていることが重要である。ここでは、まず、窓室内面温度の算出手法について説明する。
【００１７】
窓にカーテンが具備されていない場合、室内から窓室内面への熱移動量ｑ１は、室内温度をθｉ［℃］、窓室内面温度をθｇｉ［℃］、窓室内面の熱伝達係数をαｉ［Ｗ／（ｍ２Ｋ）］とすると、下記（１）式で表すことができる。
【００１８】
ｑ１＝αｉ（θｉ−θｇｉ）  …（１）
【００１９】
また、室内から室外への熱移動量ｑ２は、外気温度をθｏ［℃］、窓（窓ガラス）の熱貫流率をｋ［Ｗ／（ｍ２Ｋ）］とすると、下記（２）式で表すことができる。
【００２０】
ｑ２＝ｋ（θｉ−θｏ）  …（２）
【００２１】
室内温度θｉ、窓室内面温度θｇｉ、および外気温度θｏが平衡状態にあるとき、室内から窓室内面への熱移動量ｑ１と室内から室外への熱移動量ｑ２とが等しくなる関係を利用すると、上式（１）、（２）より、下記（３）式が得られる。
【００２２】
αｉ（θｉ−θｇｉ）＝ｋ（θｉ−θｏ）  …（３）
【００２３】
上式（３）を窓室内面温度θｇｉについて解くと、下記（４）式が得られる。
【００２４】
θｇｉ＝θｉ−｛（ｋ／αｉ）×（θｉ−θｏ）｝  …（４）
【００２５】
一方、窓にカーテンが具備され、そのカーテンが閉じられている場合には、そのカーテンの窓側の空間と室内側の空間との間の熱伝達が妨げられ、窓の近傍の温度は、室内機２に内蔵された室内温度検出部２０１により計測される室内温度よりも低くなる。つまり、上記（４）式を用いて窓室内面温度θｇｉを算出した場合には、実際の窓室内面温度よりも高くなる。このため、実際には窓室内面温度が露点温度を下回っている場合でも、窓室内面に結露が発生する可能性がないものと判定され、十分な結露防止効果が得られない場合がある。
【００２６】
したがって、本実施の形態では、室内温度補正部２０３において、カーテンの開閉状態に応じて、室内温度θｉに所定の室内温度補正係数ｐを乗じて補正室内温度（ｐ×θｉ）を算出し、窓室内面温度算出部２０５において、その補正室内温度（ｐ×θｉ）を用いて、窓室内面温度θｇｉを算出する。本実施の形態における窓室内面温度θｇｉの算出式は、下記の（５）式で表すことができる。
【００２７】
θｇｉ＝（ｐ×θｉ）−［（ｋ／αｉ）×｛（ｐ×θｉ）−θｏ）｝］  …（５）
【００２８】
室内温度補正係数ｐの値は、カーテンが開かれた状態である場合には”１．０”とし、カーテンが閉じられた状態である場合には、カーテンの断熱効果を考慮して、例えば”０．８”とすればよい。このようにすれば、カーテンが閉じられた状態であっても、より誤差の少ない窓室内面温度θｇｉが得られる。
【００２９】
なお、窓（窓ガラス）の熱貫流率ｋおよび窓室内面の熱伝達係数αｉの値は、一般的な窓（窓ガラス）の代表値を固定値として熱伝達係数記憶部２０６および熱貫流率記憶部２０７にそれぞれ記憶しておいてもよいし、空気調和機の据付時等にガラスの厚さや種類（単相、複層等）に応じて最適化した値をリモコン１や専用の設定冶具等を用いて熱伝達係数記憶部２０６および熱貫流率記憶部２０７にそれぞれ設定するようにしてもよい。
【００３０】
また、カーテンが閉じられた状態における室内温度補正係数ｐの値は、一般的なカーテンの断熱効果に合わせた固定値を室内温度補正部２０３に保持しておいてもよいし、カーテンの断熱効果に応じて最適化した値をリモコン１や専用の設定冶具等を用いて室内温度補正部２０３に設定するようにしてもよい。
【００３１】
上述のように窓（窓ガラス）の熱貫流率ｋおよび窓室内面の熱伝達係数αｉの値および室内温度補正係数ｐの値を最適化することにより、さらに正確な窓室内面温度θｇｉを得ることができる。
【００３２】
また、カーテンの断熱効果に応じた複数の室内温度補正係数ｐを室内温度補正部２０３に室内温度補正係数テーブルとして保持し、カーテンの断熱効果に応じてリモコン１を用いて選択できるようにしてもよい。図４は、室内温度補正係数テーブルの一例を示す図である。図４に示す例では、室内温度補正係数ｐが１．０〜０．１までの範囲内で、０．１刻みで上から順に小さくなる例を示している。ｐ＝１．０は、カーテンが開かれた状態である場合に適用する室内温度補正係数であり、ｐ＝０．９〜０．１は、カーテンが閉じられた状態である場合に適用する室内温度補正係数である。結露防止制御を実施する際に、カーテンによる断熱効果が大きいほど、小さい数値の室内温度補正係数を適用し、カーテンによる断熱効果が小さいほど、大きい数値の室内温度補正係数を適用する。この場合、例えばリモコン１から室内機２に結露防止制御開始指令を送信する際に、カーテンの断熱効果に応じた室内温度補正係数に対応する番号（Ｎｏ．１〜１０）を併せて送信することにより適用する室内温度補正係数を選択するようにしてもよいし、あらかじめリモコン１からカーテンの断熱効果に応じた室内温度補正係数に対応する番号（Ｎｏ．１〜１０）を室内機２に送信し結露防止制御を実施する際に適用する室内温度補正係数を決定しておくようにしてもよい。
【００３３】
また、室内温度に対応する補正室内温度を補正室内温度テーブルとして保持し、その補正室内温度テーブルから室内温度に応じた補正室内温度を読み出すようにしてもよい。図５は、補正室内温度テーブルの一例を示す図である。図５に示す例では、室内温度補正係数ｐ＝０．８である場合の補正室内温度テーブルを示しているが、同様に、カーテンの断熱効果に応じた室内温度補正係数ｐに対応する複数の補正室内温度テーブルを保持しておくようにしてもよい。
【００３４】
なお、上述した窓（窓ガラス）の熱貫流率ｋおよび窓室内面の熱伝達係数αｉの値、ならびに室内温度補正係数ｐの値の設定手法や選択手法、適用手法等により、本発明が限定されるものではないことは言うまでもない。
【００３５】
つぎに、窓室内面に結露が発生する可能性の判定手法について説明する。本実施の形態では、上述したように、室内温度補正部２０３においてカーテンの開閉状態に応じた補正室内温度を求め、その補正室内温度を用いて、窓室内面温度算出部２０５において窓室内面温度を算出する。これに並行して、露点温度算出部２０４において補正室内温度および室内湿度に基づいて露点温度を算出しておき、結露発生判定部２０８において窓室内面温度および露点温度に基づいて窓室内面に結露が発生する可能性があるか否かを判定する。なお、露点温度の算出手法については、ここでは説明を省略する。
【００３６】
ここで、結露発生判定部２０８は、窓室内面温度と露点温度とを比較して、窓室内面温度が露点温度以下である場合に（窓室内面温度≦露点温度）、窓室内面に結露が発生する可能性があると判定する。なお、窓室内面温度が露点温度に所定温度α（例えば、α＝１［℃］）を加えた温度以下である場合に（窓室内面温度≦露点温度＋α）、窓室内面に結露が発生する可能性があると判定するようにしてもよい。このようにすれば、窓室内面に結露が発生する可能性があると判定してから、実際に結露防止効果が得られる前に、窓室内面温度が低下した場合でも、窓室内面に結露が発生する可能性を小さくすることができる。
【００３７】
つぎに、実施の形態にかかる空気調和機における結露防止制御動作に伴う空調制御について説明する。上述したように、空調制御部２１１は、窓室内面に結露が発生する可能性がある場合に、窓位置検出部２１０により検出された窓の位置に向けて除湿運転を行うように空調制御する。本実施の形態では、この結露防止制御動作に伴う除湿運転を、「結露防止運転」という。なお、この結露防止運転としては、上述した除湿運転に限られるものではなく、窓室内面に結露が発生しないように湿度制御することが可能な運転形態であればよい。
【００３８】
ここでは、まず、室内空間における窓の位置の検出手法について説明する。窓位置検出部２１０による室内空間における窓位置の検出は、結露防止制御を実施する前、つまり、例えば空気調和機の据付の際の試運転時や、寒冷期の運転待機時、あるいは、通常運転時において、あらかじめ実施しておくようにしてもよいし、結露防止制御の開始時に実施するようにしてもよい。この窓位置の検出は、室内空間の温度分布を取り込む室内温度分布検出部２３として備えられた輻射熱検出部２０９および窓位置検出部２１０を空調制御部２１１が制御することにより実施される。
【００３９】
輻射熱検出部２０９は、室内空間からの輻射熱を検出することにより室内空間の温度分布を検出し、窓位置検出部２１０は、輻射熱検出部２０９の検出結果である室内空間の温度分布に基づいて、室内空間における窓の位置を検出する。結露防止制御を実施する寒冷期には、一般に窓および窓周辺の温度が最も低くなるため、温度が最も低い位置を窓位置として検出すればよい。なお、この輻射熱検出部２０９は、例えばサーモパイルセンサにより構成することができる。
【００４０】
そして、空調制御部２１１は、結露発生判定部２０８の判定結果を監視しておき、結露発生判定部２０８において窓室内面に結露が発生する可能性があると判定された場合には、左右ルーバー２１および上下ベーン２２を制御して、検出した窓位置の方向に風向を向けて結露防止運転を行う。このようにすれば、室内空間全域の湿度を低下させることなく、窓室内面への結露を防ぐことができる。
【００４１】
また、空調制御部２１１は、結露発生判定部２０８において窓室内面に結露が発生する可能性がないと判定された場合には、結露防止制御を開始する前の制御状態に戻る。つまり、結露防止制御を開始する前の制御状態が通常運転状態であった場合には、通常運転状態に戻り、運転待機状態であった場合には、運転待機状態に戻る。このように、本実施の形態では、結露発生判定部２０８の判定結果に応じて結露防止運転をＯＮ／ＯＦＦさせるようにしているので、室内空間の湿度を適切に保ちつつ、十分な結露防止効果を得ることができる。
【００４２】
つぎに、実施の形態にかかる空気調和機における結露防止制御処理について、図３および図６を参照して説明する。図６は、結露防止制御処理の一例を示すフローチャートである。なお、図６では、カーテンが閉じられた状態である場合における室内温度補正係数を”０．８”（ｐ＝０．８）とした場合の例を示している。
【００４３】
リモコン１からの結露防止制御開始指令を受信すると（ステップＳＴ１０１）、室内温度補正部２０３は、その結露防止運転指令に基づいて、カーテンの開閉状態を判定する（ステップＳＴ１０２）。カーテンが開いている場合には（ステップＳＴ１０２；Ｙｅｓ）、室内温度補正部２０３は、室内温度補正係数を”１．０”（ｐ＝１．０）として補正室内温度を算出し（ステップＳＴ１０３）、カーテンが閉じている場合には（ステップＳＴ１０２；Ｎｏ）、室内温度補正係数を”０．８”（ｐ＝０．８）として補正室内温度を算出する（ステップＳＴ１０４）。
【００４４】
続いて、窓室内面温度算出部２０５は、上述した（５）式を用いて、窓室内面温度を算出し（ステップＳＴ１０５）、露点温度算出部２０４は、補正室内温度および室内湿度に基づいて露点温度を算出する（ステップＳＴ１０６）。
【００４５】
続いて、結露発生判定部２０８は、窓室内面温度と露点温度とを比較し（ステップＳＴ１０７）、その比較結果に基づいて、窓室内面に結露が発生する可能性があるか否かを判定する（ステップＳＴ１０８）。
【００４６】
窓室内面に結露が発生する可能性があると判定された場合（ステップＳＴ１０８；Ｙｅｓ）、空調制御部２１１は、左右ルーバー２１および上下ベーン２２を制御し、窓位置検出部２１０により検出された窓位置の方向に風向を調整して、結露防止運転を開始し（ステップＳＴ１０９）、ステップＳＴ１０５およびステップＳＴ１０６の処理に戻る。窓室内面に結露が発生する可能性がないと判定された場合には（ステップＳＴ１０８；Ｎｏ）、空調制御部２１１は、既に結露防止運転を行っている場合には、結露防止運転を停止して（ステップＳＴ１１０）、ステップＳＴ１０５およびステップＳＴ１０６の処理に戻る。以下、リモコン１から結露防止制御停止指令を受信するまで、ステップＳＴ１０５〜ステップＳＴ１１０の処理を繰り返し実施する。
【００４７】
以上説明したように、実施の形態の空気調和機によれば、カーテンの開閉状態に応じて、室内温度に所定の室内温度補正係数を乗じて補正室内温度を算出し、その補正室内温度を用いて、窓室内面温度を算出するようにしたので、カーテンが閉じられている場合であっても、より誤差の少ない窓室内面温度が得られる。
【００４８】
また、窓室内面温度の算出の際に用いる窓（窓ガラス）の熱貫流率および窓室内面の熱伝達係数の値を、ガラスの厚さや種類（単相、複層等）に応じて最適化して設定する、あるいは、カーテンが閉じられた状態における室内温度補正係数の値を、カーテンの断熱効果に応じて最適化して設定することにより、さらに正確な窓室内面温度を得ることができる。
【００４９】
また、カーテンの断熱効果に応じた複数の室内温度補正係数を室内温度補正部に室内温度補正係数テーブルとして保持し、その室内温度補正係数テーブルからカーテンの断熱効果に応じて室内温度補正係数を選択するようにすることにより、カーテンの断熱効果に応じた室内温度補正係数の設定が容易となる。
【００５０】
また、室内温度に対応する補正室内温度を補正室内温度テーブルとして保持し、その補正室内温度テーブルから室内温度に応じた補正室内温度を読み出すようにすることにより、室内温度と室内温度補正係数との乗算が不要となる。さらに、カーテンの断熱効果に応じた室内温度補正係数に対応する複数の補正室内温度テーブルを保持しておくようにすることにより、カーテンの断熱効果に応じた補正室内温度の読み出しが可能となる。
【００５１】
また、窓室内面温度と露点温度とを比較して、窓室内面温度が露点温度以下である場合（窓室内面温度≦露点温度）、あるいは、窓室内面温度が露点温度に所定温度α（例えば、α＝１［℃］）を加えた温度以下である場合に（窓室内面温度≦露点温度＋α）、窓室内面に結露が発生する可能性があると判定し、その判定結果に応じて結露防止運転をＯＮ／ＯＦＦさせるようにしたので、室内空間の湿度を適切に保ちつつ、十分な結露防止効果を得ることができる。
【００５２】
また、窓室内面温度が露点温度に所定温度α（例えば、α＝１［℃］）を加えた温度以下である場合に（窓室内面温度≦露点温度＋α）、窓室内面に結露が発生する可能性があると判定するようにした場合には、窓室内面に結露が発生する可能性があると判定してから、実際に結露防止効果が得られる前に、窓室内面温度が低下した場合でも、窓室内面に結露が発生する可能性を小さくすることができる。
【００５３】
また、室内空間における窓の位置を検出し、窓室内面に結露が発生する可能性があると判定された場合には、左右ルーバーおよび上下ベーンを制御して、検出した窓位置の方向に風向を向けて結露防止運転を行うようにすることにより、室内空間全域の湿度を低下させることなく、窓室内面への結露を防ぐことができる。
【００５４】
なお、上述した実施の形態では、窓室内面温度が露点温度以下である場合（窓室内面温度≦露点温度）、あるいは、窓室内面温度が露点温度に所定温度α（例えば、α＝１［℃］）を加えた温度以下である場合に（窓室内面温度≦露点温度＋α）、窓室内面に結露が発生する可能性があると判定するようにしたが、この判定の際に、結露防止運転の実施中であるか否かにより結露発生判定基準を変えるようにすることも可能である。例えば、結露発生判定基準を、結露防止運転を実施していない状態である場合には、上述したように、窓室内面温度が露点温度以下、あるいは、露点温度に所定温度αを加えた温度以下である場合とし、結露防止運転を実施している状態である場合には、窓室内面温度が露点温度に所定温度αよりも大きい所定温度β（α＜β）を加えた温度以下である場合（窓室内面温度≦露点温度＋β）とする。このようにすれば、結露防止運転の頻繁なＯＮ／ＯＦＦ切替動作を防ぐことができる。
【００５５】
また、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００５６】
１  リモコン
１１  通常運転キー
１２  結露防止運転キー
１３  表示部
１４  選択キー
２  室内機
２１  左右ルーバー
２２  上下ベーン
２３  室内温度分布検出部
２０１  室内温度検出部
２０２  室内湿度検出部
２０３  室内温度補正部
２０４  露点温度算出部
２０５  窓室内面温度算出部
２０６  熱伝達係数記憶部
２０７  熱貫流率記憶部
２０８  結露発生判定部
２０９  輻射熱検出部
２１０  窓位置検出部
２１１  空調制御部
３  室外機
３０１  外気温度検出部
【図１】
2013047583.tif 000003
【図２】
2013047583.tif 000004
【図３】
2013047583.tif 000005
【図４】
2013047583.tif 000006
【図５】
2013047583.tif 000007
【図６】
2013047583.tif 000008